(57)【要約】【課題】蛍光管がワンタッチで取り付けでき、振動・衝撃を受けても蛍光管が脱出・落下することのない支持具を提供する。【解決手段】中央部に小孔２を穿った頂片１の片側に、小孔２と同一線上とした大径の差込孔５を有する凹弧状受け部４を形成した傾斜片３を備える。頂片１の他側にはバネ付勢された下垂片７を軸支し、下垂片７が蛍光管１０の介入により押し上げられ、介入後原位置に復帰するため蛍光管は凹弧状受け部４で支えられ且つ下垂片７が壁となるので落下したり脱出する恐れがない。【選択図】図１
0003178812.tif 000002
【実用新案登録請求の範囲】
【請求項１】
中央部に小孔を穿った長方形状の頂片片側に、前記小孔と同一線上とした大径の差込孔を有する凹弧状受け部を形成した傾斜片を備え、前記頂片他側に設けた支承部にバネ付勢されたやゝ傾斜状の下垂片を軸支してなるＬＥＤ蛍光管支持具であって、下垂片が蛍光管の介入により押し上げられ、介入後原位置に復帰して蛍光管が凹弧状受け部で支えられるＬＥＤ蛍光管支持具。
【考案の詳細な説明】
【技術分野】
【０００１】  本考案は天井に取り付けるＬＥＤ蛍光管支持具に関する。
【背景技術】
【０００２】  省電力・省エネ用として注目されているＬＥＤ（発光ダイオード）を用いた照明器具にあって直管型蛍光灯に替わるものとしてのＬＥＤ蛍光管を天井に取り付ける場合、従来のガラス蛍光灯よりも重みがあるため長尺なものは時間の経過とともに撓る傾向がある。そしてＬＥＤ蛍光管は光源となるＬＥＤ素子が高熱を発生するので管体と一体にアルミ放熱板を設けているが、管体は樹脂製のため高温になると熱収縮を起こして変形するおそれがあり、変形がひどいと取り付け器具から外れて落下する危険性がある。また蛍光管自体の重みに加え、地震等による振動・衝撃の影響を受けることもあるため取り付け器具からの落下の懸念は払拭されないのが現実であり、したがって管体を支えるための支持具技術も近時少なからず創案されている（例えば特許文献１〜３参照）。
【先行技術文献】
【特許文献】
【０００３】
【特許文献１】特開２０１１−２８９７１号公報
【特許文献２】登録実用新案第３１６４４３８号公報
【特許文献３】登録実用新案第３１６５５２８号公報
【考案の概要】
【考案が解決しようとする課題】
【０００４】  特許文献１の落下防止具は、自体を熱伝導性が高い素材とすることで放熱率を高め、ＬＥＤの寿命低下の課題を解決することを目的としているが、熱を天井部へ逃がすことを実現するには構成上いささか難点があり、また蛍光灯本体を支える接続部（図３の符号１５）は円形であるから蛍光灯本体を固定するには左右の円形接続部内に挿入しなければならず、その取り付け作業にも手間がかかるという問題がある。【０００５】  特許文献２には盗難防止に役立ち、直接吊り下げ・取り付けできるＬＥＤ照明装置の落下防止装置が開示されている。その構成は蛍光管型ＬＥＤ照明装置のアルミニューム放熱筒の放熱フィン溝に嵌め込むための爪を設け、上部に凹み、接地端子ボルト、取付け穴や半面開放長穴を設けるとしている。この装置によると放熱フィンに爪を嵌め込むことで蛍光管は支持されて落下防止効果が所期されるとするが、本体はあらかじめ天井側に固定するものであり、蛍光管を取り付けるには放熱フィンを爪に挿通しなければならず、そのための作業が容易でないのと、蛍光管を下方から支えるものではないので経年による自然加重の影響を受けることは想像に難くない。【０００６】  特許文献３は取付金具と、管体を保持する係止バンドの二部材で構成した落下防止器具であり、取付金具を天井側に固定する作業と、係止バンドを管体下面にあてがって取付金具に係合する作業が必要であるからその分手間がかかるのと、取付金具と係止バンドの双方を各別に製作する手数を要しコスト高となる懸念がある。【０００７】  上記のように従来技術にはＬＥＤ蛍光管を支持するための工夫が凝らされてはいるが、未だ構造上・作業性・コスト面等での問題点がある。本考案はこのような実状に鑑みてなされたもので、構造簡単で取り付け作業がしやすく、管体を確固保持できるＬＥＤ蛍光管支持具を提供することを意図している。
【課題を解決するための手段】
【０００８】  すなわち本考案は、中央部に小孔を穿った長方形状の頂片片側に、前記小孔と同一線上とした大径の差込孔を有する凹弧状受け部を形成した傾斜片を備え、前記頂片他側に設けた支承部にバネ付勢されたやゝ傾斜状の下垂片を軸支してなるＬＥＤ蛍光管支持具であって、下垂片が蛍光管の介入により押し上げられ、介入後原位置に復帰して蛍光管が凹弧状受け部で支えられるＬＥＤ蛍光管支持具を主旨とする。
【考案の効果】
【０００９】  頂片の小孔と凹弧状受け部の差込孔は同一線上にあるため、支持具を天井側の取付鋼板に固定するには差込孔からドライバーを差し込んでビスを小孔に挿通し、ドライバーをまわして取付鋼板の小孔から突出したビス先端を締め付けナットに螺合すればよく、支持具全体は凹弧状受け部下方からドライバー操作で簡単に完了するものであるから取り付けに煩雑な作業を要しない。【００１０】  頂片の片側にある下垂片は通常バネ付勢されて下端部が凹弧状受け部の端部と向き合っていて両者の間隔はさほど広くはないが、蛍光管を取り付ける際には蛍光管の圧接を受けてバネに抗し容易に押し上げられるため蛍光管は凹弧状受け部内にワンタッチで介入取り付けられるとともに一旦押し上げられた下垂片はバネ作用で原位置に復帰して下垂状態を維持するため、蛍光管は凹弧状受け部と下垂片の存在により振動・衝撃を受けても外方へ脱出・落下する恐れはない。【００１１】  頂片と傾斜片は一体形成でき、頂片に軸支される下垂片も同一素材で容易に得られて全体形状も頗るシンプルであるから安価量産に好適し、蛍光管の取り付け・取り外しも容易なため誰でも労力を要さずに作業できる実益がある。
【図面の簡単な説明】
【００１２】
【図１】本案支持具の側面図である。
【図２】本案支持具の正面図である。
【図３】本案支持具をドライバーを用いて固定する断面図である。
【図４】本案支持具で蛍光管を支持した状態の正面図である。
【考案を実施するための形態】
【００１３】  図面を参照して本考案の形態を説明すると、図１及び図２において符号Ａは合成樹脂、好ましくは透明ポリカーボネートを素材とする支持具本体を示し、長方形状の頂片１は長さが５０ミリ、幅が１８ミリ、厚みが３ミリ程度で中央部に直径４ミリほどの小孔２を穿ち、頂片１の片側には、下部に、ＬＥＤ蛍光管１０を支える凹弧状受け部４を形成した傾斜片３を一体的に備えている。
【００１４】  凹弧状受け部４の中央には、前記頂片の小孔２と同一線上となる差込孔５が形成されている。この差込孔５は小孔２よりも大径（直径８ミリ程度）で後記するようにドライバー１１を挿入することができる。
【００１５】  ７は頂片１の他側に設けた支承部６に取り付けた下垂片を示している。この下垂片７は内向き傾斜状であって、支承部６に挿通したピン８の中央に装付のスプリング９により外方にバネ付勢されているため外側から押すと内方へは仮想線示のようにスプリング９に抗して回動するが、押圧を解くとスプリング９の復帰作用で原位置に戻り、このとき下垂片８の上端に対し頂片１の端部下面がストッパーとなるため停止位置は不動状となる。
【００１６】  図３は本案支持具を天井側装置の取付鋼板１２に固定する例を示すもので、先ず取付鋼板１２の下面に頂片１を密着させ、小孔２にビス１３を挿通して前記凹弧状受け部４の差込孔５からドライバー１１を差し入れてその先端をビス頭に合致させ、ドライバー１１をまわしてビス１３先端をナット１４と螺合すれば支持具Ａ全体が取付鋼板１２に固定される。
【００１７】  図４は蛍光管１０が左右二ヶ所に設けた本案支持具と係合した例を示す。すなわち上記の要領で先ず支持具本体Ａを天井側に固定しておけば蛍光管１０は支持具正面から凹弧状受け部４内に介入させることができる。凹弧状受け部４の端部と下垂片７の下端にはさほど広くはない間隔１５があるものの、蛍光管１０を押し込むと押圧を受けて下垂片７は頂片１側に押し上げられ、蛍光管１０が凹弧状受け部４内に入り込むとバネ作用で原位置に戻り、図示のように蛍光管１０の正面に下垂片７が位置するためたとえ振動・衝撃が蛍光管１０に加わっても、蛍光管下面は本案支持具により確固保持されて脱出したり落下する恐れはない。
【００１８】  本案実施形態は以上のようであるが、本考案を構成する蛍光管１０における放熱板などは従来周知のものを採用できるため図面上省略した。また支持具本体Ａを構成する素材、全体の大きさ・寸法、支持具の固定位置、その他例えば頂片１と取付鋼板１２とに所定間隔を必要とする場合に頂片１上面にスペーサーを設けることなどは任意事項であり、本考案の目的効果を奏する範囲におけるその他の付加・変更事項も本考案の自由な実施の範疇に属する。
【符号の説明】
【００１９】Ａ    支持具本体
１    頂片
２    小孔
３    傾斜片
４    凹弧状受け部
５    差込孔
６    支承部
７    下垂片
１０  蛍光管
【図１】
0003178812.tif 000003
【図２】
0003178812.tif 000004
【図３】
0003178812.tif 000005
【図４】
0003178812.tif 000006